(57)【特許請求の範囲】
【請求項１】
プラスチックフィルムを溶着してなる流状物を収容するための大袋と、一端部が開口部とされ、該開口部以外の周辺部が溶着又は折り返されて閉止されたプラスチックフィルムからなる小袋とを備えたプラスチック製袋であって、
前記小袋は、前記大袋の一辺におけるプラスチックフィルム間に、前記開口部が前記一辺から突出した状態で挿入して溶着されており、前記開口部近傍の内側に凹部と凸部とで構成されたジッパーが設けられ、かつ、小袋のプラスチックフィルムの内面に溶着阻害処理が施されていること、
を特徴とするプラスチック製袋。
【発明の詳細な説明】
【０００１】
【発明の属する技術分野】
本発明は、プラスチック製袋、特に、ジッパー付きのノズル状小袋を備えたプラスチック製袋に関する。
【０００２】
【発明の背景と課題】
開口部に一対の凹部と凸部とからなるジッパーを設けて開口部を確実に閉鎖できるようにしたプラスチック製袋が種々提供されている。この種の袋には様々な物が充填されるが、流状物（粉状物、ゲル状物、粘状物、油類、合成糊、インク、ペンキ等）を再封可能に収容するには、ジッパー付きのプラスチック製大袋が好ましい。
【０００３】
しかし、プラスチック製大袋の１辺の開口部の全幅にわたってジッパーを確実に溶着することは現状の技術では困難であり、たとえジッパーの溶着が可能であっても、１辺全体が開口してしまうために流状物を取り出すのに不便である。しかも、流状物がジッパーに目詰まりするという不具合をも生じる。
【０００４】
そこで、本発明の目的は、プラスチック製の大袋であっても流状物を容易に取り出すことができ、再封も容易であり、かつ、ジッパーが流状物で目詰まりすることのないプラスチック製袋を提供することにある。
【０００５】
【発明の構成、作用及び効果】
以上の目的を達成するため、本発明は、プラスチックフィルムを溶着してなる流状物を収容するための大袋と、一端部が開口部とされ、該開口部以外の周辺部が溶着又は折り返されて閉止されたプラスチックフィルムからなる小袋とを備えたプラスチック製袋であって、前記小袋は、前記大袋の一辺におけるプラスチックフィルム間に、前記開口部が前記一辺から突出した状態で挿入して溶着されており、前記開口部近傍の内側に凹部と凸部とで構成されたジッパーが設けられ、かつ、小袋のプラスチックフィルムの内面に溶着阻害処理が施されていることを特徴とする。
【０００６】
以上の構成からなる本発明に係るプラスチック製袋は、まず、大袋のフィルム溶着部分に挿入して溶着された小袋を裏返して大袋の外側に突出させる。大袋を外部から押圧して内圧によって小袋を押し出すか、小袋の内側に指を挿入して摘み出す。このように大袋の外部に突出させた小袋の先端部分をカットすることにより略筒状（ノズル状）の取出し口が形成される。大袋に予め収容されている流状物はこの取出し口から取り出されることになり、小袋の内側に設けたジッパーは引き出したフィルムに隠されて取り出される流状物に触れることがなく、ジッパーが目詰まりすることがない。
【０００７】
流状物を必要量取り出した後は、取出し口をクリップ等で閉鎖して再度大袋内に押し込み、小袋のジッパーを閉じておけば大袋の密閉性を保って保管することができる。
【０００８】
また、小袋を先細のロート状とすることができ、小さな開口を得ることができる。従って、小さな開口をストロー様に使用して飲料を飲むことも可能であり、小袋は大袋内に収容されているため、清潔である。
【０００９】
前述したようにプラスチック製大袋にジッパーを確実に取り付けることは困難であるが、ジッパーを設けない大袋の製袋設備はプラスチック製袋の製袋メーカーのほとんどに設置されている。また、ジッパーを設けた小袋は広く普及しており、その製袋設備を設置する製袋メーカーは多数存在している。本発明は、ジッパーなしの大袋とジッパー付きの小袋とを組み合わせたものであり、既存の製袋設備を組み合わせることで容易に量産することができる。
【００１０】
さらに、小袋は大袋に溶着されるのであるが、その内面には溶着阻害処理が施されているため、小袋の内面は溶着されることがなく、小袋がノズル状を保持することができる。
【００１１】
【発明の実施の形態】
以下、本発明に係るプラスチック製袋の実施形態について、添付図面を参照して説明する。
【００１２】
図１は本発明の一実施形態であるプラスチック製袋１０を示す。この袋１０は、それぞれプラスチックフィルムからなる大袋１１とノズル状の小袋２１とで構成されている。大袋１１は従来知られている溶着袋として製袋されたもので、１枚の原反フィルムを２枚に折り畳んで、あるいは２枚の原反フィルムを重ね合わせて、その４辺を溶着（図１の斜線で示すＡ，Ｂ，Ｃ，Ｄ部分）したものである。なお、下辺部Ｄは大袋１１に流状物を充填した後に溶着される。
【００１３】
小袋２１は大袋１１の上辺溶着部分Ｃのフィルム間に挿入、溶着したもので、図２に示すように、２枚の熱溶着性プラスチックフィルム２２，２２の両側部Ｅ，Ｅ及び端部Ｆで溶着し（斜線で示されている）、袋状としたものである。小袋２１の一端部は開口部２３とされ、開口部２３の内側には予めジッパー３０が設けられている。このジッパー３０は、図３に示すように、ベース部３１，３１と凹部３２と凸部３３をそれぞれ押出し成形にて一体的に成形した周知のものである。
【００１４】
前記小袋２１は大袋１１の上辺溶着部分Ｃに、図４に示すように、大袋１１のプラスチックフィルム１２，１２の間に挿入して一端が突出した状態で一体的に溶着される。この溶着時にフィルム２２の外面とフィルム１２の内面とが溶着する。そして、フィルム２２の内面が溶着されないように、フィルム２２の内面には溶着阻害処理が施されている。溶着阻害処理は溶着阻害層２４，２４（図２参照）を設けることで容易に行うことができる。溶着阻害層２４は種々の材料を使用できるが、例えば、耐熱インクをグラビア印刷して形成することが好ましい。
【００１５】
溶着阻害処理の他の例としては、小袋２１をラミネートフィルムや２層共押出フィルムで構成してもよい。外側を熱溶着温度の低いフィルム（例えば、ポリエチレンフィルム）、内側を熱溶着温度の高いフィルム（例えば、ポリプロピレンフィルム）とし、小袋２１の溶着部Ｅ，Ｆは内側フィルムが溶着する高い温度で溶着し、大袋１１の溶着部Ａ，Ｂ，Ｃ，Ｄは低い温度で溶着する。このような処理にて内面が溶着されない小袋２１を得ることができる。また、小袋２１を大袋１１に溶着するとき、小袋２１のフィルム２２間に溶着阻害のための非溶着片（例えば、薄い鉄板又はプラスチック板）を挿入してもよい。特に、前記ジッパー３０のベース部３１を延設して溶着阻害フィルムとして使用することもできる。
【００１６】
以上の構成からなる袋１０は、例えば、粉状物、ゲル状物、粘状物、油類、合成糊、インク、ペンキ等の流状物の収容袋として使用される。この袋１０は製袋メーカーからは下辺部Ｄが未溶着の状態で出荷され、流状物が充填された後に下辺部Ｄが溶着される。製袋工程においては、予め小袋２１を製作しておき、大袋１１を構成する原反フィルム間に該小袋２１を挿入、溶着する工程を付加するのみで、既設の製袋設備をそのまま使用することができる。
【００１７】
使用者が収容されている流状物を取り出す際には、まず、図４に示した状態の小袋２１のジッパー３０を開け、小袋２１内に指を挿入して小袋２１の内面を摘んだ状態で小袋２１を外部に引き出す。このとき、小袋２１は裏返した状態で、ジッパー３０を突き抜けて引き出される（図５参照）。また、大袋１１を押圧して内圧によって小袋２１を外部に押し出すこともできる。
【００１８】
次に、図５に示す一点鎖線Ｇで小袋２１の突出した先端部分をカットして取出し用開口２６を形成する（図６参照）。大袋１１内の流状物はこの開口２６から取り出すことができる。
【００１９】
流状物を必要量取り出せば、図７に示すように、開口２６を適宜クリップ２７で閉鎖し、このクリップ２７を大袋１１内に押し込み、ジッパー３０を閉じておく（図８参照）。
【００２０】
以上説明したように、小袋２１を裏返して筒状に引き出してあるいは押し出して流状物を取り出す際、流状物がジッパー３０に接触することはない。従って、ジッパー３０が流状物によって目詰まりするおそれはない。
【００２１】
なお、小袋２１は図２（Ａ）に示したように、３辺を溶着したものを使用したが、１枚のフィルムを溶着部Ｆで折り返したもの、あるいは開口部２３で折り返したものであってもよい。フィルムを開口部２３で折り返して小袋２１を形成した場合は、使用時には開口部２３を一点鎖線Ｇ（図２（Ａ）参照）でカットする必要がある。また、図２（Ａ）に示した小袋２１にあっても開口部２３が予め溶着されている場合もあり、この場合にも開口部２３は使用時にカットされることになる。
【００２２】
（他の実施形態）
なお、本発明に係るプラスチック製袋は、前記実施形態に限定するものではなく、その要旨の範囲内で種々に変更することができる。
【００２３】
特に、大袋や小袋の細部の構成及び製造工程は任意であり、小袋を取り付ける位置も任意である。また、ジッパーは種々の構成のものを使用することができ、より気密性を高めたものを用いてもよい。
【図面の簡単な説明】
【図１】本発明の一実施形態であるプラスチック製袋を示す正面図。
【図２】前記プラスチック製袋に設けた小袋を示し、（Ａ）は平面図、（Ｂ）は断面図。
【図３】前記小袋に設けたジッパーを示す断面図。
【図４】使用状態の第１段階を示す説明図。
【図５】使用状態の第２段階を示す説明図。
【図６】使用状態の第３段階を示す説明図。
【図７】使用状態の第４段階を示す説明図。
【図８】使用状態の第５段階を示す説明図。
【符号の説明】
１０…プラスチック製袋
１１…大袋
１２…大袋のプラスチックフィルム
２１…小袋
２２…小袋のプラスチックフィルム
２４…溶着阻害層
３０…ジッパー
【図１】
0003676692.tif 000002
【図２】
0003676692.tif 000003
【図３】
0003676692.tif 000004
【図４】
0003676692.tif 000005
【図５】
0003676692.tif 000006
【図６】
0003676692.tif 000007
【図７】
0003676692.tif 000008
【図８】
0003676692.tif 000009